(57)【要約】【課題】本発明は、補聴器警報システムに関するもので、複数の警報装置の内、作動している警報装置をわかりやすくするものである。【解決手段】アンテナ１３ａ、１３ｂで受信した電波信号を基に、電波特性検出部１７で電波信号の到来角度１９および受信レベル２１を検出し、その到来角度１９および受信レベル２１を基に、音場情報生成部２２で、警告音の左右のバランス情報２４および音量情報２６を生成し、そのバランス情報２４および音量情報２６を基に、警告音生成部２７で、警告音２８を生成し、レシーバ１２ａ、１２ｂから出力する構成とした。【選択図】図１
2013187798.tif 000002
【特許請求の範囲】
【請求項１】
異常を検出するセンサーと、
前記センサーが反応した時にその異常状態を電波信号として送信する送信部とを備える警報装置と、
前記送信部からの電波信号を受信する少なくとも二つ以上のアンテナと、
前記アンテナから受信した電波信号の受信状態から、前記警報装置から発せられる電波信号の到来角度を算出する電波特性検出部と、
前記電波特性検出部で検出された前記電波信号の到来角度に応じて、音場情報を生成する音場情報生成部と、
前記音場情報生成部で生成された音場情報を基に警告音を生成する警告音生成部と、
を備える補聴器警報システム。
【請求項２】
前記電波特性検出部は、前記電波信号の到来角度を算出する方向算出部を備えた請求項１に記載の補聴器警報システム。
【請求項３】
前記電波特性検出部は、前記電波信号の強度を検出する受信レベル検出部を備えた請求項１に記載の補聴器警報システム。
【請求項４】
前記音場情報生成部は、前記方向算出部で算出された電波到来角度から、前記警告音の左右の警告音出力バランスを設定する音位置設定手段を備えた請求項２に記載の補聴器警報システム。
【請求項５】
前記音場情報生成部は、前記受信レベル検出部で検出された電波の強度から、前記警告音の出力レベルを調整する音量設定部を備えた請求項３に記載の補聴器警報システム。
【発明の詳細な説明】
【技術分野】
【０００１】
本発明は、火災警報器などの警報装置から発せられる警告に関わる電波信号を補聴器で受信して難聴者に通知する技術に関するものである。
【背景技術】
【０００２】
従来から、家屋での異常を検出し他場合には、大音量の警告音で住人に通知をする火災警報器やガス漏れ警報器などが知られているが、難聴者にとってはその警告音が聞き取りにくいため、前記火災警報器やガス漏れ警報器などから電波信号などを利用して直接補聴器に通知を行い、その電波信号を受信した補聴器は、自ら生成した警告音を補聴器のレシーバから出力することで、難聴者にとっても家屋の異常を認識しやすくした技術が知られている（例えば、特許文献１参照）。
【先行技術文献】
【特許文献】
【０００３】
【特許文献１】特開平７−２８２３７８号公報
【発明の概要】
【発明が解決しようとする課題】
【０００４】
前記従来技術においては、補聴器のマイクから入力された警告音ではなく、補聴器内部で生成された警告音を聞くことができるので、難聴者にとっては異常な状態を認識しやすくなる点においては、効果的である。
【０００５】
一方、近年では一軒の家屋に複数の火災警報器および、防犯のための窓センサー等の複数の警報装置を設置することも多くなっており、これに伴い、これら複数の警報装置の内いずれかが補聴器に無線で通知を行ったとしても、補聴器を装用している難聴者にとっては、どの警報装置が作動しているのかが認識しにくい状態となる。
【０００６】
そこで本発明は、設置されている警報装置の方向を検出し、その方向に応じた音場の警告音を補聴器から出力することにより、難聴者に警報装置の場所をわかりやすくすることを目的とするものである。
【課題を解決するための手段】
【０００７】
そして、この目的を達成するために本発明は、異常を検出するセンサーと、前記センサーが反応した時にその異常状態を電波信号として送信する送信部とを備える警報装置と、前記送信機からの電波信号を受信する少なくとも二つ以上のアンテナと、前記アンテナから受信した電波信号の受信状態から、前記警報装置から発せられる電波信号の到来角度を算出する電波特性検出部と、前記電波特性検出部で検出された前記電波信号の到来角度に応じて、音場情報を生成する音場情報生成部と、前記音場情報生成部で生成された音場情報を基に警告音を生成する警告音生成部とを備える構成とし、これにより所期の目的を達成するものである。
【発明の効果】
【０００８】
以上のように、本発明は、異常を検出するセンサーと、前記センサーが反応した時にその異常状態を電波信号として送信する送信部とを備える警報装置と、前記送信機からの電波信号を受信する少なくとも二つ以上のアンテナと、前記アンテナから受信した電波信号の受信状態から、前記警報装置から発せられる電波信号の到来角度を算出する電波特性検出部と、前記電波特性検出部で検出された前記電波信号の到来角度に応じて、音場情報を生成する音場情報生成部と、前記音場情報生成部で生成された音場情報を基に警告音を生成する警告音生成部とを備える構成としたものであるため、難聴者に警報装置の方向を示すことができる。
【０００９】
すなわち、難聴者にとっては、補聴器内で生成された警告音が方向感を持って出力されるので、どこに設置した警報装置が作動しているのかがわかりやすくなるのである。
【図面の簡単な説明】
【００１０】
【図１】本発明の補聴器警報システムの使用状態を説明する図
【図２】本発明の補聴器の説明図
【図３】本発明の補聴器のブロック図
【図４】本発明の電波特性検出部のブロック図
【図５】本発明の音場情報生成部のブロック図
【発明を実施するための形態】
【００１１】
以下に、本発明の補聴器警報システムの実施の形態を図面とともに詳細に説明する。
【００１２】
（実施の形態１）
図１は、本発明の第１の実施の形態における家屋１に各種警報器を設置した状態を示す。
【００１３】
家屋１は、いくつかの部屋に分かれており、各部屋には、火災報知器２、窓センサー３、ドアセンサー４、監視カメラ５などの各種警報装置が設置されている。
【００１４】
また、難聴者６は補聴器７を装着した状態で、家屋１のある部屋に位置している。
【００１５】
これら警報装置にはそれぞれの警報装置に適したセンサー（図示なし）が備えられている。例えば、火災報知器２においては煙や熱を感知するセンサー、窓センサー３およびドアセンサー４は、窓やドアが開けられたことを検知するセンサー、そして監視カメラ５は、不審人物がカメラに映ったことを検出するセンサーなどである。
【００１６】
これら警報装置は、上記センサーで異常を検出した際には、自身で警告音を発生させるとともに、難聴者６が装着している補聴器７に対して送信部（図示なし）により電波信号にて通知するのである。
【００１７】
図２は、補聴器７の外観図である。補聴器７は、補聴器本体８と、難聴者６の左右の耳に装着されるイヤホン９ａ、９ｂがケーブル１０ａ、１０ｂで接続されている。イヤホン９ａ、９ｂにはそれぞれ、周囲の音を収集するマイク１１ａ、１１ｂ、難聴者６の外耳道内に装着され、マイク１１ａ、１１ｂによって収集された周囲の音に対して補聴処理を行った結果を空気振動の音として伝えるレシーバ１２ａ、１２ｂ、そして、警報装置から送信された電波信号を受信するためのアンテナ１３ａ、１３ｂが備えられている。
【００１８】
図３は、補聴器７のブロック図である。マイク１０ａ、１０ｂから入力された音声信号は、Ａ／Ｄコンバータ１４（Ａｎａｌｏｇ／Ｄｉｇｉｔａｌ  Ｃｏｎｖｅｒｔｅｒ）でアナログからデジタル信号に変換され、補聴処理部１５に出力する。補聴処理部１５は、入力されたデジタル音声信号を難聴者６の聴力特性に合わせ補聴処理を行い、その結果であるデジタル音声信号をＤ／Ａコンバータ１６（Ｄｉｇｉｔａｌ／Ａｎａｌｏｇ  Ｃｏｎｖｅｒｔｅｒ）に出力する。Ｄ／Ａコンバータ１６は入力されたデジタル音声信号をアナログ音声信号に変換し、レシーバ１２ａ、１２ｂに出力する。そして、レシーバ１２ａ、１２ｂはアナログ音声信号を空気振動に変換して難聴者６に伝えることになる。
【００１９】
前記警報装置が異常を検出して電波信号を発生させたときには、その電波信号をアンテナ１３ａ、１３ｂで受信することとなる。前記電波信号を受信した場合、アンテナ１３ａ、１３ｂで受信した信号は電波特性検出部１７に送られる。電波特性検出部１７は、アンテナ１３ａ、１３ｂそれぞれで受信した電波信号に応じて、その電波信号の到来角度を算出する。
【００２０】
ここで、アンテナ１３ａ、１３ｂは前述の通り、難聴者６の左右の耳に装着されたレシーバ１２ａ、１２ｂに組み込まれているので、所定の間隔をもって配置されたアレーアンテナとなり、これにより、到来電波の方向を導き出すことができる。
【００２１】
電波特性検出部１７による電波到来角度を検出する方法としては、一般的に知られている技術であるため詳細な説明は省略するが、例えばＭＭＳＥ（Ｍｉｎｉｍｕｍ  Ｍｅａｎ  Ｓｑｕａｒｅ  Ｅｒｒｏｒ）などのアルゴリズムを適用することができるが、これに限定されるものではない。
【００２２】
図４は、電波特性検出部１７のブロック図である。アンテナ１３ａ、１３ｂからの電波信号は、方向算出部１８および受信レベル検出部２０に入力される。方向算出部１８は、前記電波信号から、ＭＭＳＥアルゴリズムを利用して、その電波の到来角度１９を算出する。電波特性検出部１７には、基準となるリファレンス信号を持っている。アンテナ１３ａおよび１３ｂから入力した前記電波信号は、方向算出部１８で、それぞれに同期検波され、搬送波再生信号を生成する。それぞれの搬送波再生信号と、前記リファレンス信号の相関特性を検出することで到来波方向を検出する。
【００２３】
前記警報装置の電波信号には同期ワードが設定されており、前記警報装置の電波信号を受信した場合は、前記電波特性検出部１７で同期され、前記リファレンス信号の位相同期を行なう。
受信レベル検出部２０は、前記リファレンス信号と前記電波信号の強度から、受信レベル２１を検出する。
【００２４】
図５は、音場情報生成部２２のブロック図である。上記算出された到来角度１９は、音場情報生成部２２に備えられた音位置設定部２３に入力される。音位置設定部２３は、入力された到来角度１９から、警告音を出力する音の位置、すなわち、レシーバ９ａおよびレシーバ９ｂそれぞれに割り振る警告音の出力レベルのバランスを算出し、バランス情報２４として出力する。これにより、警告音事態に方向感を持たせることができ、結果として、どの方向の警報装置が作動しているのかがわかりやすくなるのである。
【００２５】
受信レベル２１は、音場情報生成部２２に備えられた音量設定部２５に入力される。音量設定部２５は、入力された受信レベル２１から、警告音全体の音量レベルを算出し、音量情報２６として出力する。すなわち、受信レベル２１が高い場合は、近くの警報装置が作動していると判断でき、受信レベル２１が低い場合は、遠くの警報装置が作動していると判断できるので、この受信レベル２１に応じて、警告音の音量を制御し、警報装置までの遠近感を表現するのである。
【００２６】
警告音生成部２７は、入力されたバランス情報２４および音量情報２６に基づいてレシーバ１２ａ、１２ｂに適した左右のバランスおよび音量レベルで警告音２８（例えばビープ音）を生成する。
【００２７】
警告音生成部２７で生成された警告音２８は、補聴処理部１５を経由して、レシーバ１２ａ、１２ｂから出力される。
【００２８】
このように、アンテナ１３ａ、１３ｂで受信した電波信号を基に、電波特性検出部１７で電波信号の到来角度１９および受信レベル２１を検出し、その到来角度１９および受信レベル２１を基に、音場情報生成部２２で、警告音の左右のバランス情報２４および音量情報２６を生成し、そのバランス情報２４および音量情報２６を基に、警告音生成部２７で、警告音２８を生成し、レシーバ１２ａ、１２ｂから出力することによって、難聴者６に作動している警報装置の方向感を伝えることができ、結果として、どの警報機が作動しているのかがわかりやすくなる。
【００２９】
なお、この実施形態においては、二つのアンテナを用いて、警報装置の水平方向の位置検出について説明したが、さらに、上下方向にも追加した四つのアンテナとして設計すれば、垂直方向の検出を行えるようにしてもよい。
【産業上の利用可能性】
【００３０】
以上のように本発明は、アンテナ１３ａ、１３ｂで受信した電波信号を基に、電波特性検出部１７で電波信号の到来角度１９および受信レベル２１を検出し、その到来角度１９および受信レベル２１を基に、音場情報生成部２２で、警告音の左右のバランス情報２４および音量情報２６を生成し、そのバランス情報２４および音量情報２６を基に、警告音生成部２７で、警告音２８を生成し、レシーバ１２ａ、１２ｂから出力することによって、難聴者６に作動している警報装置の方向感を伝えることがでる。
【００３１】
すなわち本発明においては、屋内に複数設置されている警報装置のいずれかが作動し電波信号を送信した場合に、補聴器内部で生成された警告音自体に、作動している警報装置の場所を感じさせるように方向感をつけることで、どの警報機が作動しているのかがわかりやすくなるのである。
【００３２】
したがって、補聴器警報システムとしての活用が期待されるものである。
【符号の説明】
【００３３】
１  家屋
２  火災報知器
３  窓センサー
４  ドアセンサー
５  監視カメラ
６  難聴者
７  補聴器
８  補聴器本体
９ａ、９ｂ  イヤホン
１０ａ、１０ｂ  ケーブル
１１ａ、１１ｂ  マイク
１２ａ、１２ｂ  レシーバ
１３ａ、１３ｂ  アンテナ
１４  Ａ／Ｄコンバータ
１５  補聴処理部
１６  Ｄ／Ａコンバータ
１７  電波特性検出部
１８  方向算出部
１９  到来角度
２０  受信レベル検出部
２１  受信レベル
２２  音場情報生成部
２３  音位置設定部
２４  バランス情報
２５  音量設定部
２６  音量情報
２７  警告音生成部
２８  警告音
【図１】
2013187798.tif 000003
【図２】
2013187798.tif 000004
【図３】
2013187798.tif 000005
【図４】
2013187798.tif 000006
【図５】
2013187798.tif 000007